(57)【要約】【課題】  糊付機本体への着脱が容易なスリッターを得る。【解決手段】後部から引き入れられたシート状壁装材を前部に引き出す際に前記壁装材の裏面に糊を塗布する糊付機本体の後部に装着され、引き入れられる前記シート状壁装材の両縁部を連続的に裁断するスリッターにおいて、  糊付機本体の装着位置の下部に形成された被支持部で回動自在に支持される支持部と、支持部を支点にした回動により前記糊付機本体の装着位置の上部に設けられた被掛止部に掛止される掛止部とを備える。【選択図】      図１
2010284767.tif 000002
【特許請求の範囲】
【請求項１】
後部から引き入れられたシート状壁装材を前部に引き出す際に前記壁装材の裏面に糊を塗布する糊付機本体の後部に装着され、引き入れられる前記シート状壁装材の両縁部を連続的に裁断するスリッターにおいて、
前記糊付機本体の装着位置の下部に形成された被支持部で回動自在に支持される支持部と、
該支持部を支点にした回動により前記糊付機本体の装着位置の上部に設けられた被掛止部に掛止される掛止部とを備えたことを特徴とする壁紙糊付機用スリッター。
【請求項２】
前記掛止部として、支持部を中心にして糊付機本体の装着位置の上部に設けられた被掛止部へ回動する側が切欠かれた切欠円環を備え、
この切欠円環の切欠長さよりも大きい径の円筒状の被掛止部に対して撓んで着脱可能であることを特徴とする請求項１に記載の壁紙糊付機用スリッター。
【請求項３】
後部から引き入れられたシート状壁装材を前部に引き出す際に前記壁装材の裏面に糊を塗布する糊付機本体の後部に装着され、引き入れられる前記シート状壁装材の両縁部を連続的に裁断するスリッターであって、
前記壁装材を沿わせるガイド面部と、このガイド面部の表面側又は裏面側で前記壁装材の搬送方向に直交する位置で回動するシャフトに軸止された肉薄の刃部を備えた壁装材裁断用回転刃と、前記壁装材をガイド面部に押し付けるテンションバーとを備えスリッターにおいて、
スリッター側壁に設けられ、前記テンションバーの両端部を支持してこのテンションバーを押し付け位置と解除位置とに切り替え可能なテンションバー支持具と、
テンションバー支持具をテンションバーの押し付け位置と解除位置とでロックするロック手段とを備えたことを特徴とする壁紙糊付機用スリッター。
【請求項４】
前記テンションバー支持具が、一端部のテンションバーの取付け位置と対向する他端部に設けられ、前記テンションバーの押し付け位置と解除位置との間を揺動する支点を備え、
前記ロック手段として、テンションバーの押し付け位置と解除位置とでテンションバー支持具の一端部と他端部との間の側壁を移動不能にロックする突設片をスリッター内側壁に設けたことを特徴とする請求項３に記載の壁紙糊付機用スリッター。
【請求項５】
請求項１〜４の何れかに記載の壁紙糊付機用スリッターを備えたことを特徴とする壁紙糊付機。
【発明の詳細な説明】
【技術分野】
【０００１】
本発明は、壁紙糊付機用スリッター及び該スリッターを備えた壁紙糊付機に関するものである。
【背景技術】
【０００２】
現在、建築物の内装施工における壁装材の室内壁面への貼付は、内装作業現場で専用の壁紙糊付機を用いてシート状の壁装材に連続的に糊を塗布しながら行うのが一般的となっている。この壁紙糊付機の一般的な構成としては、内部に複数のロールが配置された上部構体及び下部構体から主に構成される糊付機本体を脚部に支持された台座上に載置し、上下構体の間に挟み込んだシート状壁装材（以下、クロスと記す）をロールで搬送しながら糊タンク内に軸支されている糊掻上げロールで糊タンクから糊をすくい上げて糊付けロールに転写し、この糊付けロールによりクロス裏面に塗付していくものである。
【０００３】
壁紙糊付機には手動式と自動式があり、具体的な構成の一例としては、下部構体上に原反ロールから繰り出したクロスを先端部が本体前面に垂れる状態で載置して上部構体を閉じ、下部構体と上部構体の所定ロール間にクロスを挟み込んだ状態としておく。手動式装置ではクロス先端を作業者が手で持って前方へ引っ張ることによりロールの一部を追従回転させると共に他のロールをギアを介して連動回転させる。自動式装置では所定のロールの軸を電動モータ等の駆動源に連結して回転させることによって他のロールもギアを介して連動回転するものが一般的である。何れの糊付機もロールの回転でクロスを糊付機本体の後面から前面側へ搬送させる途中で糊タンク内から引き上げられて転写された糊を、糊付ロールの頂点近傍にて該ロールからクロス裏面に糊が転写され、糊塗布済み状態でクロスが前面から送り出されてくるという構成である。
【０００４】
このような壁紙糊付機においては、上部構体と下部構体とからなる糊付機本体と、脚部を備えた台座部とが分離可能（例えば、特許文献１参照）であるため、脚部のキャスターによる搬送が行えない場合には、内装作業現場には糊付機本体と台座部とを一体として、２名以上の作業者によって左右の両側部の各々を持って運ばれるか、糊付機本体と台座部とを分離して各々を１名以上の作業者によって持って運ばれる。
【先行技術文献】
【特許文献】
【０００５】
【特許文献１】特開２００５−３４２９９０号公報
【特許文献２】特開２００５−５２７６５号公報
【発明の概要】
【発明が解決しようとする課題】
【０００６】
糊付機本体と台座部とを分離可能とするために、脚部を備えた台座部は、その台座部自体を頑丈な作りにしなければならず、その結果、糊付機本体と台座部とを一体とした状態での重量は、１名の作業者が持ち運ぶには負担が重く、安全性を考慮して少なくとも２名の作業者で行うのが常であった。
【０００７】
ところで、壁紙糊付機において、糊付作業時には脚部が不要となることは殆どない。何故ならば、クロスは原反ロールから繰り出される必要があり、脚部に原反ロールを支持する支持機構を備えているため、内装作業現場においては殆どの場合、脚部を立設して用いる。このため、脚部を備えた状態で軽量化を図るには、台座部を廃止し、脚部を直接下部構体に付加する構成とする。そのような構成の場合には、脚部が折り畳まれた状態においては、キャスターを含めた脚部構成の全てが下部構体に収納されるべきである。
【０００８】
更に、内装作業現場では、スリッターを駆動しなかったり、スリッターを装着しなかったり等のようにスリッターが不要となることは少ない。例えば、室内の壁面に順にクロスを貼着する場合、最後に貼着されるクロスについては、その幅を計測して切除する必要があった。
【０００９】
さて、壁紙糊付機本体に対するスリッターが不要となることが少ない一方で、本体に対するスリッターの着脱を容易に行う方がメンテナンス等に有利である。更に、裁断時において、クロスがスリッターに対して浮き上がらないようにしなければ良好な裁断が得られるものではないし、裁断を実行しない際にはクロスの経路を阻害しないようにすべきである。
【００１０】
そこで、本発明は、糊付機本体への着脱が容易なスリッターを得ることを目的とし、更に、クロスの浮き上がりを防止すると共に裁断しない場合の壁紙通路の確保を目的とした機構を備えたスリッターを得ることを目的とする。
【課題を解決するための手段】
【００１１】
請求項１に記載された発明に係る壁紙糊付機用スリッターは、後部から引き入れられたシート状壁装材を前部に引き出す際に前記壁装材の裏面に糊を塗布する糊付機本体の後部に装着され、引き入れられる前記シート状壁装材の両縁部を連続的に裁断するスリッターにおいて、
前記糊付機本体の装着位置の下部に形成された被支持部で回動自在に支持される支持部と、
該支持部を支点にした回動により前記糊付機本体の装着位置の上部に設けられた被掛止部に掛止される掛止部とを備えたことを特徴とするものである。
【００１２】
請求項２に記載された発明に係る壁紙糊付機用スリッターは、請求項１に記載の掛止部として、支持部を中心にして糊付機本体の装着位置の上部に設けられた被掛止部へ回動する側が切欠かれた切欠円環を備え、
この切欠円環の切欠長さよりも大きい径の円筒状の被掛止部に対して撓んで着脱可能であることを特徴とするものである。
【００１３】
請求項３に記載された発明に係る壁紙糊付機用スリッターは、後部から引き入れられたシート状壁装材を前部に引き出す際に前記壁装材の裏面に糊を塗布する糊付機本体の後部に装着され、引き入れられる前記シート状壁装材の両縁部を連続的に裁断するスリッターであって、
前記壁装材を沿わせるガイド面部と、このガイド面部の表面側又は裏面側で前記壁装材の搬送方向に直交する位置で回動するシャフトに軸止された肉薄の刃部を備えた壁装材裁断用回転刃と、前記壁装材をガイド面部に押し付けるテンションバーとを備えスリッターにおいて、
スリッター側壁に設けられ、前記テンションバーの両端部を支持してこのテンションバーを押し付け位置と解除位置とに切り替え可能なテンションバー支持具と、
テンションバー支持具をテンションバーの押し付け位置と解除位置とでロックするロック手段とを備えたことを特徴とするものである。
【００１４】
請求項４に記載された発明に係る壁紙糊付機用スリッターは、請求項３に記載のテンションバー支持具が、一端部のテンションバーの取付け位置と対向する他端部に設けられ、前記テンションバーの押し付け位置と解除位置との間を揺動する支点を備え、
前記ロック手段として、テンションバーの押し付け位置と解除位置とでテンションバー支持具の一端部と他端部との間の側壁を移動不能にロックする突設片をスリッター内側壁に設けたことを特徴とするものである。
【００１５】
請求項５に記載された発明に係る壁紙糊付機は、請求項１〜４の何れかに記載の壁紙糊付機用スリッターを備えたことを特徴とするものである。
【発明の効果】
【００１６】
本発明は、本発明は、糊付機本体への着脱が容易なスリッターを得ることができるという効果がある。また、クロスの浮き上がりを防止することができ、裁断しない場合の壁紙通路の確保ができるという効果がある。
【図面の簡単な説明】
【００１７】
【図１】本発明の一実施例の脚部構造を備えた壁紙糊付機の側方構成を示す説明図である。
【図２】図１の壁紙糊付機の本体部の側方構成を示す説明図である。
【図３】図１の壁紙糊付機の斜視図と要部の拡大図である。
【図４】図１の壁紙糊付機の別の方向からの斜視図である。
【図５】スリッターの側面の構成を説明する説明図である。
【図６】スリッターの長手方向に直交する断面の構成を説明する説明図である。
【図７】スリッターの駆動部の構成を示す説明図である。
【発明を実施するための形態】
【００１８】
本発明においては、後部から引き入れられたシート状壁装材を前部に引き出す際に前記壁装材の裏面に糊を塗布する糊付機本体の後部に装着され、引き入れられる前記シート状壁装材の両縁部を連続的に裁断するスリッターにおいて、
糊付機本体の装着位置の下部に形成された被支持部で回動自在に支持される支持部と、この支持部を支点にした回動により糊付機本体の装着位置の上部に設けられた被掛止部に掛止される掛止部とを備える。このために、糊付機本体への着脱は支持部を中心にして掛止部を回動させることにより、容易に行うことができる。
【００１９】
本発明における支持部としては、糊付機本体の装着位置の下部に形成された被支持部で回動自在に支持されるものであればよい。より好ましくは、本スリッターは、糊付機本体の下部構体の下部フレームの上部の後壁面に開口されたスリッター装着開口部に装着されるが、このスリッター装着開口部を構成する糊付機本体の左右の内側壁部の下部に共に内側方向へ対向して突設された一対の円筒状の被支持部が形成され、この被支持部で回動自在に支持される支持部であればよい。
【００２０】
更に、本発明における掛止部としては、支持部を支点にした回動により糊付機本体の装着位置の上部に設けられた被掛止部に掛止されるものであればよい。より好ましくは、前記被支持部に支持部を係止させ、円筒状の支持部を支点にして回動させ、スリッター装着開口部の上部で被掛止部に掛止させてスリッターを糊付機本体に装着する。
【００２１】
この掛止部と被掛止部との掛止は、好ましくは、被掛止部が前記被支持部と同様に、スリッター装着開口部を構成する糊付機本体の左右の内側壁部の上部に共に内側方向へ対向して突設された一対の円筒状の被掛止部が形成されればよく、これに対する掛止部としては、支持部を中心にして糊付機本体の装着位置の上部に設けられた被掛止部へ回動する側が切欠かれた切欠円環を備える。この切欠円環の切欠長さは、切欠円環部の切欠部に隣接する腕部が撓んで着脱可能となる程度に、円筒状の被掛止部の径よりも小さくすれば、ワンタッチで着脱可能となる。
【００２２】
また、別の本発明においては、後部から引き入れられたシート状壁装材を前部に引き出す際に前記壁装材の裏面に糊を塗布する糊付機本体の後部に装着され、引き入れられる前記シート状壁装材の両縁部を連続的に裁断するスリッターであって、
前記壁装材を沿わせるガイド面部と、このガイド面部の表面側又は裏面側で前記壁装材の搬送方向に直交する位置で回動するシャフトに軸止された肉薄の刃部を備えた壁装材裁断用回転刃と、前記壁装材をガイド面部に押し付けるテンションバーとを備えスリッターにおいて、
スリッター側壁に設けられ、前記テンションバーの両端部を支持してこのテンションバーを押し付け位置と解除位置とに切り替え可能なテンションバー支持具と、
テンションバー支持具をテンションバーの押し付け位置と解除位置とでロックするロック手段とを備える。これにより、クロスの浮き上がりを防止することができ、裁断しない場合の壁紙通路の確保ができる。
【００２３】
即ち、本発明のテンションバーはテンション支持具によって支持される。このテンション支持具は、スリッター側壁に設けられ、テンションバーの両端部を支持してこのテンションバーをガイド面部に押付ける押し付け位置と解除位置とに切り替えることができる。また、ロック手段によってテンションバー支持具をテンションバーの押し付け位置と解除位置とでロックすることができる。これにより、テンションバーをガイド面部に押付けることにより、クロスの浮き上がりを防止することができ、テンションバーを解除位置でロックすることにより裁断しない場合の壁紙通路の確保ができる。
【００２４】
本発明の好ましいテンションバー支持具としては、一端部のテンションバーの取付け位置と対向する他端部に設けられ、前記テンションバーの押し付け位置と解除位置との間を揺動する支点を備える。これにより、支点を中心にした回動により、押し付け位置と解除位置とを容易に切換えることが可能となる。
【００２５】
本発明の好ましいロック手段としては、テンションバーの押し付け位置と解除位置とでテンションバー支持具の一端部と他端部との間の側壁を移動不能にロックする突設片をスリッター内側壁に設ける。これにより、簡易な機構によって押し付け位置と解除位置とでテンションバー支持具をロックすることができる。
【実施例】
【００２６】
１．全体構成
図１は本発明の一実施例の脚部構造を備えた壁紙糊付機の側方構成を示す説明図である。図２は図１の壁紙糊付機の本体部の側方構成を示す説明図である。図３は図１の壁紙糊付機の斜視図と要部の拡大図である。図４は図１の壁紙糊付機の別の方向からの斜視図である。尚、図３及び図４は一方の脚部が折り畳んだ状態を示す。
【００２７】
図１に示す通り、本実施例の壁紙糊付機は、糊付機本体１と、この糊付機本体１の左右両側板１１端下部に配された一対の脚部２とからなる。糊付機本体１は、糊桶５を主とする下部構体３とその上に開閉可能に載置される上部構体４とによって構成される。一方の側板１１の下部構体３にはコントローラ６が装着され、下部構体３の後面側には着脱可能なスリッター７が配され、上部構体４はこの下部構体３の上部を覆うように配されている。
【００２８】
図２に示す通り、コントローラ６内の駆動源（図示せず）の駆動軸による糊付けローラ３１の回転に伴って、ギアを介して回転運動が伝達された他のローラも回転し、上下部構体３，４間に挟み込まれているロールＲから一端が解けたクロスＣを後方から前方へ搬送し、その途中で糊付けローラ３１上を搬送される際に糊桶５から引き上げられた糊がクロス裏面に転写塗布される。
【００２９】
この糊付けローラ３１は、下部構体３の左右両側壁面の軸支板に軸支され、できるだけ糊桶５内に沈む下方位置の配置となるように構成されている。また、糊桶５内の糊は糊付けローラ３１に当接する糊上げローラ５１によって行われ、糊上げローラ５１は糊桶５の両側側面に中心より後面側寄りの位置で軸支され、糊桶５内の糊を回転によって掻き上げて糊付けローラ３１に転写する。
【００３０】
糊付けローラ３１は、糊付機本体１に着脱自在に取付けられる駆動源である電動モータを備えたコントローラ６の駆動軸に連結されている。糊付けローラ３１の回転軸は、下部構体３に配置される下ピンチローラ３２、ドクターローラ３３、均しローラ３４及び上部構体４に配置される検尺ローラとして用いられる上ピンチローラ４１、押さえローラ４２、ドライブローラ４３のうちの所定ローラの回転軸とギアを介して連動される。
【００３１】
均しローラ３４には、図３に示す通り、均しローラ３４を介して送られて来る糊付済のクロスＣを糊付機本体１の前面に案内するための複数個のツメ５５が長手方向にほぼ均等に装着されたツメステー５４が、両端に配された装着具５３を介して取付けられている。尚、ツメステー５４の両端部には、糊桶５を下方へ押し付ける押さえ部材５６が装着されており、この押さえ部材５６をツメステー５４の最両端位置へ移動させることにより、糊桶５の前方上端部が押さえ部材５６によって押さえられるため、糊桶５が引き出される際の上方への移動を押さえることにより、糊桶５の前方への引き出しを阻止する。
【００３２】
尚、壁紙糊付機の両側部には、ドクターローラ３３の回動軸に偏心して固定された偏心ギア３５と、一端が偏心ギア３５の歯部に噛合する歯形部３６を形成し、他端が把手部３７を形成し、糊付機本体側面の軸心３８によって取り付けられたレバー３９とを備えている。レバー３９は軸心３８を支点として上下に回動可能となっている。また、把手部３７の前端には固定ネジが備えられ、所望の位置でこの固定ネジを締着させることにより、レバー３９を固定してレバーの回動を禁止するようになっている。
【００３３】
この壁紙糊付機では、把手部３７を上下方向に回動させると、歯形部３６が把手部３７と逆方向に回動し、これに伴って偏心ギア３５が糊付機本体の前面側あるいは後面側に回動する。この結果、偏心ギア３５によって保持されたドクターローラ３３の軸端が糊付けローラ３１と相対移動され、ドクターローラ３３と糊付けローラ３１との相対間隔が変化して、糊付けローラ３１に付着する糊量を調整できるようになっている。
【００３４】
図１〜図４に示す通り、糊付機本体１の側壁１１と主脚部２との接続は、側壁１１の下部中央部に設けられた左右一対の脚部保持部材１２によってなされている。脚部保持部材１２は左右で対称である。左右一対の主脚部２には、クロス受けブラケット６１が回動自在に配されており、クロス受けブラケット６１の先端部には、原反ロールＲの中心に通されたクロス芯棒６２が軸支されている。
【００３５】
原反ロールＲから繰り出される壁装材（クロス）Ｃは、主脚部２の中央位置に横架された第１テンションバー６３に当接してスリッター７のクロスＣを沿わせて搬送する搬送通路となるガイド面部７２と共同して、糊付機本体１の引き込み口での引き込み荷重が与えられ、回転刃７１によってクロスの両側部が切断される。
【００３６】
２．スリッター構造
図５はスリッターの側面の構成を説明する説明図である。図６はスリッターの長手方向に直交する断面の構成を説明する説明図である。図７はスリッターの駆動部の構成を示す説明図である。
【００３７】
図４に示す通り、スリッター７は、糊付機本体１の下部構体３の下部フレーム３ｆの上部の後壁面に開口されたスリッター装着開口部５０内に装着される。スリッター７は後背面の中央部にガイド面部７２が配され、そのガイド面部７２の両端部には回転刃７１を回動する駆動源を備えた一組のスリッターユニット８０が各々の両端方向に摺動可能に配される。
【００３８】
スリッター７のスリッター装着開口部５０への取付けは、図１及び図５に示されるスリッター装着開口部５０内の下部構体３の両側側壁１１の内側壁の下部に形成された被支持部５８で回動自在に支持される支持部７３と、この支持部７３を支点にした回動により両側側壁１１の内側壁の上部に設けられた被掛止部５９に掛止される掛止部７４とで行われる。即ち、スリッター装着開口部５０の側部を構成する下部構体３の両側側壁１１の内側壁の下部に共に内側方向へ対向して突設された一対の円筒状の被支持部５８が形成され、この被支持部５８を回動の中心として、スリッター７上部を回動し、掛止部７４を被掛止部５９方向へ回動する。
【００３９】
被掛止部５９も、被支持部５８と同様に、スリッター装着開口部５０の側部を構成する下部構体３の両側側壁１１の内側壁の上部に共に内側方向へ対向して突設された一対の円筒状の突起である。掛止部７４は支持部７３を中心にして回動する側が切欠かれた切欠円環を備える。この切欠円環の切欠長さは、切欠円環部の切欠部に隣接する腕部が撓んで着脱可能となる程度に、円筒状の被掛止部の径よりも小さいため、ワンタッチで着脱可能となる。
【００４０】
図５に示す通り、スリッター７のガイド面部７２側には、このガイド面部７２上を搬送されるクロスをガイド面部７２に押し付けるテンションバー７６を支持するテンションバー支持具７５をスリッターの側壁に備える。このテンションバー支持具７５は、一端部にテンションバー７６が取付けられ、他端部にテンションバーの押し付け位置と解除位置との間を揺動する支点７７を備える。
【００４１】
スリッターの側壁には、テンションバーの押し付け位置と解除位置とでテンションバー支持具７５の一端部と他端部との間の側壁を移動不能にロックする突設片７８ａ，７８ｂが設けられている。この突設片７８ａ，７８ｂは、支持具７５を作業員が上げ下げすることにより、容易に沈んでロックが解除される。これにより、簡易な機構によって押し付け位置と解除位置とでテンションバー支持具をロックすることができる。
【００４２】
図６及び図７に示す通り、スリッターユニット８０は、回転刃内蔵カートリッジとしてのカッターボックス８３とモーターブラケット８４とを備える。カッターボックス８３は、壁装材当接側以外の回転刃７１周囲を側断面略コの字形状に覆う３面の防護壁（８３ａ，８３ｂ，８３ｃ）と、回転刃７１をボスを介して軸支するシャフト９２の一端を枢支する側壁板８３ｄとにより外形が略筐体形状に構成されている。カッターボックス８３の側壁板８３ｄには固定ブラケット３２が配されている。これらカッターボックス８３とモーターブラケット８４とはスリッター７の裁断面を形成しているガイド面部７２の裏面側の空間内に設置される。これら防護壁（８３ａ，８３ｂ，８３ｃ）には、それぞれ指が入らない程度の幅のスリット状開口部Ｓが複数個ずつほぼ全壁面に亘って穿設されている。
【００４３】
カッターボックス８３は内部に回転刃７１が回転可能に軸支され、その前面には裁断後のクロス側端部をスリッタ本体外側へ導出するガイド部材９１が取り付けられている。このカッターボックス８３は更に回転刃７１のシャフト９２にモーターの回転軸が連結されたモーターブラケット８４内部の回転刃駆動手段としてのモーター８５にギアユニット８６及びギアユニットカバー８７を介して連結されている。
【００４４】
スリッターユニット８０を吊下げる吊下げ機構としては、ガイド面部７２の裏面に左右の側壁に亘って配されたステーにスライド可能に保持されるスライドブラケット（図示せず）にモーターブラケット８４を吊下することによる。更に、スリッターユニット８０を固定する固定機構としては、カッターボックス８３の側部に設けられた固定ブラケット８２に挿通される固定ネジ８１をガイド面部７２に対向するスリッター７の本体のスリット溝７９に緊締することによって固定される。
【００４５】
回転刃７１のシャフト９２は、カッターボックス８３の固定ブラケット８２側の側壁板８３ｄにベアリング９３を介して取付けられる。回転刃７１は厚さが０．５ｍｍの片切刃であり、回転刃取付ボス９４にネジ９５で取付けられる。回転刃７１とこれを保持する回転刃取付ボス９４とを保持したシャフト９２は、ギアユニット８６の出力軸８８に平爪部８９で接続されており、バネ９６を介して装着されることにより、回転刃７１は常に外方向への押圧力が配されている。
【００４６】
一方、カッターボックス８３内のクロス裁断位置には、クロスを介した対向面側で回転刃７１のシャフト９２と略平行に配された取付軸９８に回動自在に軸支されたセラミック製の砥材からなる回転部材９７を備える。セラミック製の砥材からなるため、使用に伴って回転刃７１の刃部を研ぐことになり、回転刃７１の長期にわたる使用が可能となる。尚、回転部材９７は回転刃７１の径と比較して、１／３となっているため、押圧された回転刃７１の回転力によって、独自の駆動源を有さない回転部材９７を保持した取付軸９８が容易に回動することが可能となる。
【００４７】
取付軸９８は軸先端部と取付け座金とを各々ガイド部材９１にネジで固定されている。この取付軸９８のガイド部材９１への取付け角度は回転刃７１のシャフト９２と略平行であるが、後述するように３度以上１０度以下、具体的には３度傾けて固定される。また、回転部材９７はベアリングを介して回動自在に取付軸９８に取付けられている。この回転部材９７は円筒状の構造である。また、回転部材９７の上面の平坦面部の一部が、裁断地点を端部とした回転刃７１の周縁部との部分的な重なり領域を構成するように配置されている。回転部材９７の取付軸９８にはバネ９９が介されており、回転部材９７を当接した回転刃７１の刃部に付勢・押圧している。
【００４８】
取付軸９８がシャフト９２に対して３度以上１０度以下、具体的には３度傾けて固定されているため、回転部材９７の平坦面部の回転刃７１の刃部に対する傾斜角度は３度以上１０度以下、具体的には３度となる。これにより、裁断される壁装材の裁断小口部に高い直線性及び平滑性を得ることができることは勿論のこと、厚手の織物壁装材や繊維を不規則に表層に備えた壁装材でも良好な裁断状態を得ることができる。また、取付軸９８自体を傾けて固定し、更にベアリングを介して回転部材と取付軸９８に軸支しているため、長期に亘って使用しても回転部材９７の平坦面部の回転刃７１の刃部に対する傾斜角度の変化が極力少なくなるという利点もある。
【符号の説明】
【００４９】
１  …糊付機本体、
１１…側板、
１２…脚部保持部材、
１３…主回動軸、
１４…第１被掛止部、
１５…掛止片、
１６…第２被掛止部、
１７…ストッパー、
１８…杆部、
１９…長孔、
２  …主脚部、
２１…キャスター支持部、
２２…支持部軸心、
２３…作用軸、
２４…回動フレーム、
２５…回動軸、
２６…ヒンジ部、
２７…第１アーム部、
２８…第２アーム部、
２９…フレーム軸、
３  …下部構体、
３０…接地部、
３１…糊付けローラ、
３２…下ピンチローラ、
３３…ドクターローラ、
３４…均しローラ、
３５…偏心ギア、
３６…歯形部、
３７…把手部、
３８…軸心、
３９…レバー、
４  …上部構体、
４１…上ピンチローラ、
４２…押さえローラ、
４３…ドライブローラ、
４４…取手、
５  …糊桶、
５０…スリッター装着開口部、
５１…糊上げローラ、
５３…装着具、
５４…ツメステー、
５５…ツメ、
５６…押さえ部材、
５８…被支持部、
５９…被掛止部、
６  …コントローラ、
６１…クロス受けブラケット、
６２…クロス芯棒、
６３…第１テンションバー、
７  …スリッター、
７１…回転刃、
７２…ガイド面部、
７３…支持部、
７４…掛止部、
７５…テンションバー支持具、
７６…テンションバー、
７７…支点、
７８ａ…突設片、
７８ｂ…突設片、
７９…スリット溝、
８０…スリッターユニット、
８１…固定ネジ、
８２…固定ブラケット、
８３…カッターボックス、
８３ａ…防護壁、
８３ｂ…防護壁、
８３ｃ…防護壁、
８３ｄ…側壁板、
８４…モーターブラケット、
８５…モーター、
８６…ギアユニット、
８７…ギアユニットカバー、
８８…出力軸、
８９…平爪部、
９１…ガイド部材、
９２…シャフト、
９３…ベアリング、
９４…回転刃取付ボス、
９５…ネジ、
９６…バネ、
９７…回転部材、
９８…取付軸、
９９…バネ、
Ｃ  …クロス、
Ｒ  …原反ロール、
【図１】
2010284767.tif 000003
【図２】
2010284767.tif 000004
【図３】
2010284767.tif 000005
【図４】
2010284767.tif 000006
【図５】
2010284767.tif 000007
【図６】
2010284767.tif 000008
【図７】
2010284767.tif 000009